(57)【要約】【課題】引き戸式の上側の扉と下側の扉で陳列室の開口を開閉自在に閉塞するショーケースにおいて、安全に把手部を持った開放動作を実現することができるようにする。【解決手段】各扉３６、３７の周囲に取り付けられたモール６１と、両扉により開口を閉じたときに各扉の外側となるモールの外辺６１Ａから起立する把手部６２と、下側の扉３７のモールの把手部に取り付けられたストッパ６３とを備え、何れかの扉を移動させた場合、上側の扉３６のモールの内辺６１Ｂはストッパ６３に当接し、その状態で当該内辺６１Ｂとストッパ６３が取り付けられた部分以外の下側の扉３７の把手部６２間には所定の間隔が構成される。【選択図】図５
2012152313.tif 000002
【特許請求の範囲】
【請求項１】
上方に開放する陳列室の開口を引き戸式の上側の扉と下側の扉により開閉自在に閉塞して成るショーケースにおいて、
前記各扉の周囲に取り付けられたモールと、
前記両扉により前記開口を閉じたときに各扉の外側となる前記モールの一方の辺から起立する把手部と、
前記下側の扉のモールの前記把手部に取り付けられたストッパとを備え、
前記何れかの扉を移動させた場合、前記上側の扉のモールの他方の辺は前記ストッパに当接し、その状態で当該他方の辺と前記ストッパが取り付けられた部分以外の前記下側の扉の把手部間には所定の間隔が構成されることを特徴とするショーケース。
【請求項２】
前記把手部は前記モールの一方の辺の長手方向に沿って形成されており、前記ストッパは当該把手部の長手方向における端部に取り付けられていることを特徴とする請求項１に記載のショーケース。
【請求項３】
前記ストッパは前記把手部に係合する係合溝を有し、前記把手部の長手方向における端部を前記ストッパの係合溝に差し込むかたちでストッパは前記把手部に取り付けられ、その状態で上方への移動が阻止されることを特徴とする請求項２に記載のショーケース。
【請求項４】
前記把手部の長手方向に直交する向きの断面は、上側が下側より厚く構成されており、前記ストッパの係合溝の断面形状は、当該把手部の断面形状に合致した形状とされていることを特徴とする請求項３に記載のショーケース。
【請求項５】
前記ストッパは前記上側の扉方向に突出した突出部を有し、該突出部の前記上側の扉に対向する面は所定寸法の当接面とされ、前記上側の扉は該当接面に当接することを特徴とする請求項１乃至請求項４のうちの何れかに記載のショーケース。
【請求項６】
前記把手部は前記モールの一方の辺の長手方向に沿って形成されており、前記ストッパは前記把手部の長手方向における両端部にそれぞれ取り付けられ、各ストッパの前記当接面に至る面は相互に対向し、前記把手部側から前記当接面側に渡って所定曲率で湾曲していることを特徴とする請求項５に記載のショーケース。
【発明の詳細な説明】
【技術分野】
【０００１】
本発明は、上方に開口する陳列室を引き戸式の上側の扉と下側の扉により開閉自在に閉塞して成るショーケースに関するものである。
【背景技術】
【０００２】
従来より所謂平型と称される上方に開口したショーケースの場合、前方に開口するショーケースに比して冷気漏洩が少ないというメリットがあるが、近年の省エネ要求に応じて係る平型のショーケースにおいても、開口を透明な扉にて開閉自在に閉塞しなければならなくなって来ている。
【０００３】
その場合、本体を構成する断熱箱体の上面開口には、前後の断熱壁に対向して上下二段のレールが設けられており、それぞれのレールに引き戸式扉が左右に移動自在に載置されている。各扉は周囲のモール（枠体）に透視可能なガラス板をはめ込んだ構成とされており、両扉により開口を閉じたときに各扉の外側となるモールの一方の辺には、当該扉を開閉するための把手部が起立して形成されている（例えば、特許文献１参照）。
【先行技術文献】
【特許文献】
【０００４】
【特許文献１】特開平１１−２６４６５２号公報
【発明の概要】
【発明が解決しようとする課題】
【０００５】
特許文献１に示す如き構成では、当該文献の図１０の断面図に示すように、上側の扉が全閉の位置で下側の扉を全開の位置にまで開放した際、下側の扉の把手部が上側の扉のモールの他方の辺（把手部が形成された辺と対向する辺）との間に間隔が構成されなくなり、下側の扉の把手部を持つ手指が、該把手部と上側の扉との間に挟まる問題がある。特に、勢いよく扉の開放操作を行った場合、手指を損傷するおそれがある。
【０００６】
そこで、現在でも、各扉の閉鎖／全開位置、即ち、上側の扉が閉鎖位置で、下側の扉を全開位置、若しくは、その逆、又は、両扉の全閉の各位置で両扉がそれ以上移動しないように摺動を阻止する、規制用のストッパや突起をレールに形成している。しかしながら、係る場合においても、例えば上側の扉が半開きの状態で下側の扉の把手部を開放方向に摺動させていくと、下側の扉が規制用のストッパや突起に当たる以前に、下側の扉の把手部に上側の他端が当たり、その状態で指が挟まれるかたちとなる。そのため、安全な扉の開閉動作を確保することができないという問題が依然として生じていた。
【０００７】
本発明は、係る従来の技術的課題を解決するために成されたものであり、引き戸式の上側の扉と下側の扉で陳列室の開口を開閉自在に閉塞するショーケースにおいて、安全に把手部を持った開放動作を実現することができるようにすることを目的とするものである。
【課題を解決するための手段】
【０００８】
本発明のショーケースは、上方に開放する陳列室の開口を引き戸式の上側の扉と下側の扉により開閉自在に閉塞して成るものであって、各扉の周囲に取り付けられたモールと、両扉により開口を閉じたときに各扉の外側となるモールの一方の辺から起立する把手部と、下側の扉のモールの把手部に取り付けられたストッパとを備え、何れかの扉を移動させた場合、上側の扉のモールの他方の辺はストッパに当接し、その状態で当該他方の辺とストッパが取り付けられた部分以外の下側の扉の把手部間には所定の間隔が構成されることを特徴とする。
【０００９】
請求項２の発明は、上記発明において、把手部はモールの一方の辺の長手方向に沿って形成されており、ストッパは当該把手部の長手方向における端部に取り付けられていることを特徴とする。
【００１０】
請求項３の発明は、上記発明において、ストッパは把手部に係合する係合溝を有し、把手部の長手方向における端部をストッパの係合溝に差し込むかたちでストッパは把手部に取り付けられ、その状態で上方への移動が阻止されることを特徴とする。
【００１１】
請求項４の発明は、上記発明において、把手部の長手方向に直交する向きの断面は、上側が下側より厚く構成されており、ストッパの係合溝の断面形状は、当該把手部の断面形状に合致した形状とされていることを特徴とする。
【００１２】
請求項５の発明は、上記各発明において、ストッパは上側の扉方向に突出した突出部を有し、この突出部の上側の扉に対向する面は所定寸法の当接面とされ、上側の扉はこの当接面に当接することを特徴とする。
【００１３】
請求項６の発明は、上記発明において、把手部はモールの一方の辺の長手方向に沿って形成されており、ストッパは把手部の長手方向における両端部にそれぞれ取り付けられ、各ストッパの当接面に至る面は相互に対向し、把手部側から当接面側に渡って所定曲率で湾曲していることを特徴とする。
【発明の効果】
【００１４】
本発明によれば、上方に開放する陳列室の開口を引き戸式の上側の扉と下側の扉により開閉自在に閉塞して成るショーケースにおいて、各扉の周囲に取り付けられたモールと、両扉により開口を閉じたときに各扉の外側となるモールの一方の辺から起立する把手部と、下側の扉のモールの把手部に取り付けられたストッパとを備え、何れかの扉を移動させた場合、上側の扉のモールの他方の辺はストッパに当接し、その状態で当該他方の辺とストッパが取り付けられた部分以外の下側の扉の把手部間には所定の間隔が構成されることにより、下側の扉の把手部を持って該扉を移動させた場合にも、手指が当該把手部と上側の扉との間に挟まる危険性が無くなる。これにより、扉の開放動作における安全性を確保することができる。
【００１５】
請求項２の発明によれば、上記発明に加えて、把手部はモールの一方の辺の長手方向に沿って形成されており、ストッパは当該把手部の長手方向における端部に取り付けられていることにより、把手部を持つ際に、ストッパが邪魔とならない。そのため、把手部の長手方向における端部以外の部分、即ち、長手方向における把手部の中央部を持って扉を移動させた場合、把手部と上側の扉との間に支障なく所定の間隔を構成でき、手指を挟み込む不都合を回避することができる。
【００１６】
また、把手部の全体にストッパが設けられていないため、扉が湾曲して構成され、これに応じてモール及び把手部も湾曲して構成された場合にも、支障なく対応することができる。
【００１７】
請求項３の発明によれば、上記発明において、ストッパは把手部に係合する係合溝を有し、把手部の長手方向における端部をストッパの係合溝に差し込むかたちでストッパは把手部に取り付けられるため、ストッパの把手部への取付を容易とすることができる。
【００１８】
また、その状態でストッパの上方への移動が阻止されることにより、ストッパを把手部に差し込んだ状態で上方に抜けてしまう不都合を回避でき、支障なく保持することができる。
【００１９】
請求項４の発明によれば、上記発明において、把手部の長手方向に直交する向きの断面は、上側が下側より厚く構成されており、ストッパの係合溝の断面形状は、当該把手部の断面形状に合致した形状とされていることにより、ストッパが上方向に抜け出る不都合を回避でき、確実にストッパを把手部に保持させることができる。
【００２０】
請求項５の発明によれば、上記各発明において、ストッパは上側の扉方向に突出した突出部を有し、この突出部の上側の扉に対向する面は所定寸法の当接面とされ、上側の扉はこの当接面に当接することにより、下側の扉が上側の扉に当たった衝撃で当該ストッパが破損してしまう不都合を回避することができる。
【００２１】
請求項６の発明によれば、上記発明において、把手部はモールの一方の辺の長手方向に沿って形成されており、ストッパは把手部の長手方向における両端部にそれぞれ取り付けられているため、各ストッパが取り付けられていない把手部の長手方向における中央部を持って扉を移動させることができる。
【００２２】
また、把手部の両端にストッパが設けられているため、各ストッパが上側の扉に当たったときに、該上側の扉が離間した二箇所にて当接することとなるため、上側の扉自体が斜めとなってしまう不都合を回避することができる。
【００２３】
更に、各ストッパの当接面に至る面は相互に対向し、把手部側から当接面側に渡って所定曲率で湾曲していることにより、把手部と両ストッパとが連続するように見え、全体として一体的な把手として外観に現れる。従って、外観の向上を図ることができる。
【図面の簡単な説明】
【００２４】
【図１】本発明を適用した一実施例のショーケースの縦断側面図である。
【図２】扉及びレール部分の拡大縦断側面図である。
【図３】ストッパを取り付けた状態の扉の斜視図である。
【図４】ストッパの斜視図である。
【図５】ストッパと上側の扉のモールとが当接した状態を示す部分拡大図である。
【図６】図５の断面図である。
【図７】他の実施例としてのショーケースの斜視図である。
【発明を実施するための形態】
【００２５】
以下、本発明の実施の形態について、詳細に説明する。図１は本発明を適用した一実施例のショーケース１の縦断側面図である。実施例のショーケース１は、スーパーマーケット等の店舗内に設置されて食品や飲料等の商品を冷却しながら陳列販売するためのものであり、断面が図１に示すように上向きのコ字状とされた断熱壁の両側に図示しない断熱側壁を取り付けて構成された断熱箱体２と、この断熱箱体２の周囲の上縁に立設された透明壁３と、断熱箱体２の前後方向の中央部に立設され、断熱箱体２内を前後に仕切る中央仕切壁４と、断熱箱体２の手前側の壁２Ａ及びその上端の透明壁３と、奥側の壁２Ｂ及びその上端の透明壁３とそれぞれ間隔を存して設けられた仕切板６、７と、この仕切板６、７下端と中央仕切壁４との間にそれぞれ設けられたデッキパン８、９とを備えている。
【００２６】
このデッキパン８、９上の仕切板６と中央仕切壁４間、及び、仕切板７と中央仕切壁４間に上方に開口した前後の陳列室１１、１２がそれぞれ構成されている。また、デッキパン８、９の断熱箱体２の底壁２Ｃとの間には底部冷気通路１３が構成され、デッキパン８、９下側の底部冷気通路１３内にはそれぞれ冷却装置の冷凍サイクルを構成する冷却器１４、１６が設置されている。中央仕切壁４内にも下端が底部冷気通路１３に連通した中央冷気通路１７が構成されており、この中央仕切壁４の下方に対応する底部冷気通路１３内には送風機１８が設置されている。
【００２７】
また、仕切板６と壁２Ａ（透明壁３）間、仕切板７と壁２Ｂ（透明壁３）間にもそれぞれ前後側の冷気通路２１、２２が構成され、下端が底部冷気通路１３に連通している。そして、中央仕切壁４上端部の前後面には冷気吐出口２３、２４が形成され、前後側の冷気通路２１、２２の上端には前後の冷気吸込口２６、２７が形成されている。尚、各冷気吸込口２６、２７の上側を間隔を存して被覆するフランジ３０には結露防止用の図示しない電気ヒータが取り付けられている。
【００２８】
係る構成で、送風機１８が運転されると、各冷却器１４、１６と熱交換して冷却された冷気が中央冷気通路１７内に吹き上げられ、各冷気吐出口２３、２４から各陳列室１１、１２内に吐出される。各陳列室１１、１２内の冷気は前後の冷気吸込口２６、２７からそれぞれ吸い込まれ、冷気通路２１、２２を通って底部冷気通路１３に入り、各冷却器１４、１６に帰還する循環が行われる。これにより、各陳列室１１、１２内は所定の冷蔵、若しくは冷凍温度に冷却される。
【００２９】
この場合、中央仕切壁４、手前側及び奥側の透明壁３、３上には上部構造体３１が取り付けられている。この上部構造体３１は、中央仕切壁４上に立設されて手前側の壁２Ａ上の透明壁３及び奥側の壁２Ｂ上の透明壁３よりも高い位置まで延在する中央壁３２と、中央壁３２の左右の透明壁３上方を閉塞する透明壁３３とを有し、これらにより、各陳列室１１、１２の上面の開口１１Ａ、１２Ａは、奥側の開口縁が手前側の開口縁よりも少許高い構成とされている。尚、この上部構造体３１の中央壁３２の前後面には上側が陳列室１１、１２側に倒れるように傾斜した鏡３４が設けられており、陳列室１１、１２内の商品がこの鏡３４、３４に映るように構成されている。尚、この鏡３４の裏面には結露防止用の図示しない電気ヒータが取り付けられている。
【００３０】
そして、各陳列室１１、１２の上方に開放する各開口１１Ａ、１２Ａはそれぞれ引き戸式の扉３６、３７によってそれぞれ開閉自在に閉塞される。本実施例では、上側となる扉を扉３６、下側となる扉を扉３７とし、図２の拡大断面図を参照しながら扉３６、３７を支持するレール部材４１、４２の構造について説明する。尚、陳列室１２の開口を閉じる扉３６、３７の支持に関する後述する構造は、陳列室１１の開口を閉じる扉３６、３７の場合と同様であるので、以後は陳列室１１に関する扉３６、３７（図１の向かって左側）についてのみ説明する。
【００３１】
手前側の開口縁より高い奥側の開口縁のレール部材４１はステンレス鋼板から構成され、上下に所定の間隔を存して設けられて左右に延在する二段のレール４３、４４と、上側のレール４３の上側に所定の間隔を存して左右に延在するカバー部４６とを有し、上下のレール４３、４４上のカバー部４６、レール４３との間に陳列室１１の開口方向に開放した扉挿入空間４７、４８がそれぞれ構成されている。また、各レール４３、４４は陳列室１１の開口の傾斜に合わせて手前側に向けて低く傾斜している。尚、カバー部４６は後述する如くレール４３、４４上に載置される扉３６、３７の上縁を隠蔽し、且つ、脱落を防止するために設けられており、上側のレール４３は下側のレール４４のカバー部を兼ねる。
【００３２】
一方、この奥側の開口縁より低い手前側の開口縁のレール部材４２もステンレス鋼板から構成され、上下に所定の間隔を存して設けられて左右に延在する二段のレール５３、５４と、上側のレール５３の上側に所定の間隔を存して左右に延在するカバー部５６とを有し、上下のレール５３、５４上のカバー部５６、レール５３との間に陳列室１１の開口方向に開放した扉挿入空間５７、５８がそれぞれ構成されている。また、各レール５３、５４は陳列室１１の開口１１Ａの傾斜に合わせて奥側に向けて高く傾斜している。尚、カバー部５６は後述する如くレール５３、５４上に載置される扉３６、３７の下縁を隠蔽し、且つ、脱落を防止するために設けられており、上側のレール５３は同様に下側のレール５４のカバー部を兼ねる。また、扉挿入空間５７、５８の奥部におけるレール５３、５４の手前側は所定の角度で上昇する起立壁３８、３９に連続している。そして、このレール部材４２の手前側は、開口縁の長手方向に渡って樹脂製のガード５１にて被覆されている。
【００３３】
次に、上記図２及び図３乃至図６を参照して、扉３６、３７及び本発明に係るストッパ６３の構成について説明する。図３はストッパ６３を取り付けた状態の扉の斜視図、図４はストッパ６３、６３の斜視図、図５はストッパ６３と上側の扉３６のモール６１とが当接した状態を示す部分拡大図、図６は図５の断面図をそれぞれ示している。
【００３４】
扉３６、３７はガラス製の透明板により構成されており、図３に示すように、全体としては矩形状であるが、切断したときに前後で所定の曲率で湾曲する円弧状を呈している。
【００３５】
各扉３６、３７の周囲には硬質樹脂（塩化ビニル）製のモール６１が取り付けられている。ここで、両扉３６、３７により開口を閉じたときに、各扉３６、３７の外側となるモール６１の辺を外辺（一方の辺）６１Ａとし、内側となるモール６１の辺を内辺（他方の辺）６１Ｂとする。尚、モール６１は、扉３６、３７の湾曲形状に対応して形成されている。
【００３６】
そして、この扉３６、３７を閉じたときに外側となる外辺６１Ａには、上方に向けて起立する把手部６２が当該外辺６１Ａの長手方向に沿って設けられている。本実施例では、当該把手部６２は、外辺６１Ａと一体に形成されており、その長手方向における両端部６２Ａ、６２Ａは、端部にいくに従い低くなるように傾斜して形成される。また、この把手部６２の長手方向に直交する向きの断面は、図６に示すように、上側が下側より厚く構成されていると共に、この把手部６２の上端部６２Ｂは、一側、本実施例では、扉３６、３７の内方に向けて傾倒して形成されている。
【００３７】
一方、下側の扉となる扉３７の把手部６２には、例えば硬質樹脂にて構成されたストッパ６３、６３が取り付けられる。これらストッパ６３、６３は、把手部６２の長手方向における両端部６２Ａ、６２Ａにそれぞれ取り付けられるものであり、取り付けられた状態で線対称の関係にある。何れのストッパ６３も、把手部６２の傾斜した端部６２Ａの外形に略きっちりと係合する係合溝６４が形成されている。この係合溝６４は、把手部６２の長手方向、端部側が閉じ、これと反対側の端部及び扉３７側の面が開口して形成される。また、この係合溝６４の断面形状は、取り付けられる把手部６２の上側が下側より厚く、上端部６２Ｂが扉の内方に向けて傾倒した断面形状に合致した形状とされている。
【００３８】
そして、このストッパ６３は、把手部６２に取り付けられる係合溝６４側から上側の扉３６方向に所定寸法、突出した突出部６５を有する。この突出部６５の上側の扉３６に対向する面は、把手部６２の長手方向に所定寸法延在する当接面６６とされており、当該当接面６６は、上側の扉３６のモール６１の内辺６１Ｂと略平行とされる。
【００３９】
また、本実施例では、把手部６２の両端部６２Ａ、６２Ａに取り付けられた状態の各ストッパ６３、６３の当接面６６に至る相互に対向する面は、把手部６２側から当接面６６側に渡って所定曲率で湾曲した湾曲面６７とされている。
【００４０】
そして、ストッパ６３は、係合溝６４に把手部６２を係合した状態で、その断面は、図６に示すように、突出部６５側の下面６５Ａが、扉３７の上面に当接すると共に、モール６１の外辺６１Ａ上に対応する下端６３Ａは、当該突出部６５側の下面６５Ａよりも、少なくとも当該モール６１の厚さ寸法分高い位置とされた段差形状とされている。
【００４１】
以上の構成により、ストッパ６３、６３を下側の扉３７に取り付ける場合には、先ず、把手部６２の長手方向における端部６２Ａをストッパ６３の係合溝６４に差し込む。本実施例では、係合溝６４の開口した把手部６２の長手方向端部側を把手部６２の端部６２Ａに宛がい、該長手方向に挿入することで把手部６２にストッパ６３を取り付ける。
【００４２】
このように把手部６２の長手方向における端部６２Ａをストッパ６３の係合溝６４に差し込むかたちでストッパ６３は把手部６２に取り付けることができるため、ストッパ６３の把手部６２への取付を容易とすることができる。
【００４３】
このとき、把手部６２の長手方向に直交する向きの断面は、上側が下側より厚く構成されており、ストッパ６３の係合溝６４の断面形状は、把手部６２の断面形状に合致した形状とされていることにより、その状態でストッパ６３の上方への移動が阻止され、ストッパ６３を把手部６２に差し込んだ状態で、ストッパ６３が不用意に上方向に抜け出る不都合を回避できる。そのため、確実にストッパ６３を把手部６２に仮保持させることができる。
【００４４】
特に、本実施例では、把手部６２の上端部６２Ａの断面形状が一側に傾倒し、ストッパ６３の係合溝６４の断面形状もこれに合致した形状とされているため、これによっても、ストッパ６３が把手部６２から上方に抜けてしまう不都合を回避でき、支障なく保持することができる。
【００４５】
本実施例では、当該ストッパ６３の係合溝６４に把手部６２の両端部６２Ａ、６２Ａを差し込んだ状態で、両者を接着させることで、確実な取付を行う。
【００４６】
そして、扉３６、３７を取り付ける際には、下側の扉３７の上縁をレール部材４１の下側の扉挿入空間４８内に挿入し、レール４４上に載置した後、扉３７の下縁を手前側のレール部材４２のレール５４上に載置する。これにより、下側の扉３７は、レール４４、５４に左右移動自在に支持される。その後、上側の扉３６の上縁をレール部材４１の上側の扉挿入空間４７内に挿入し、レール４３上に載置した後、扉３６の下縁を手前側のレール部材４２のレール５３上に載置する。このようにして扉３６はレール４３、５３に左右移動自在に支持される。この状態で、上下の扉３６、３７を閉塞位置とした場合、両者の隣接する側の辺が上下に重合するので、陳列室１１の開口は支障無く閉塞される。
【００４７】
この閉塞位置から各扉３６、３７を開放するように左右に移動させると、上側となる扉３６の内側となるモール６１の内辺６１Ｂが次第に下側となる扉３７の外側となるモール６１の外辺６１Ａに近接していく。各扉３６、３７の開閉動作は、通常、各扉の外辺６１Ａに形成された把手部６２を持って行われる。そのため、各扉３６、３７の開放動作によって、下側の扉３７の把手部６２を持つ手指が上側となる扉３６の内辺６１Ｂに近接していくこととなる。
【００４８】
この際、本実施例では、下側の扉３７の把手部６２の長手方向の両端部６２Ａ、６２Ａには、ストッパ６３、６３が取り付けられているため、下側の扉３７の把手部６２に更に上側となる扉３６の内辺６１Ｂが近接していっても、当該扉３６の内辺６１Ｂは、図５に示すように、ストッパ６３の当接面６６に当接し、その状態で、当該扉３６の内辺６１Ｂとストッパ６３が取り付けられた部分以外の下側の扉３７の把手部６２との間には、所定の間隔（図５にて矢印Ｘにて示す）が構成されることとなる。尚、図２では、下側の扉３７のストッパ６３と上側の扉３６との当接状態の関係を示すため、下側の扉３７側からみて、当該下側の扉３７のストッパ６３、把手部６２を透視した状態を示している。
【００４９】
これにより、下側の扉３７の把手部６２を持って該扉３７を移動させる手指が、当該把手部６２と上側の扉３６との間に挟まる危険性が無くなる。これにより、扉の開放動作における安全性を確保することができる。
【００５０】
特に、本実施例では、把手部６２の長手方向における端部６２Ａにストッパ６３が取り付けられているため、把手部６２を持つ際に、ストッパ６３が邪魔となる不都合を回避することができる。そのため、把手部６２の長手方向における端部６２Ａ以外の部分、即ち、長手方向における把手部６２の中央部を持って扉３７を移動させた場合、把手部６２と上側の扉３６との間に支障なく所定の間隔Ｘを構成でき、手指を挟み込む不都合を回避することができる。
【００５１】
この場合、把手部６２の全体にストッパ６３を設ける構成ではないため、本実施例のように、扉が湾曲して構成され、これに応じてモール６１及び把手部６２も湾曲して構成された場合にも、支障なく対応することができる。
【００５２】
また、本実施例のストッパ６３は、上側の扉３６方向に突出した突出部６５を有し、この突出部６５の上側の扉３６に対向する面は所定寸法の当接面６６とされているため、何れかの扉３６、３７の開放時において、上側の扉３６がこの当接面６６に当接することにより、下側の扉３７が上側の扉３６に当たった衝撃で当該ストッパ６３が破損してしまう不都合を回避することができる。
【００５３】
尚、本実施例では、外観を考慮して把手部６２の長手方向における両端部６２Ａ、６２Ａにそれぞれストッパ６３、６３を取り付けているが、一側の端部６２Ａのみに取り付けた場合であっても本願発明の効果を奏することができる。但し、両端部６２Ａ、６２Ａに取り付けた場合、各ストッパ６３、６３が取り付けられていない把手部６２の長手方向における中央部を持って扉３７を移動させることができると共に、各ストッパ６３、６３が上側の扉３６に当たったときに、該上側の扉３６が離間した二箇所のストッパ６３の当接面６６にて当接することとなるため、上側の扉３６自体が斜めとなってしまう不都合を回避することができる。
【００５４】
また、各ストッパ６３、６３の当接面６６に至る面は相互に対向し、把手部６２側から当接面６６側に渡って所定曲率で湾曲した湾曲面６７とされているため、把手部６２と両ストッパ６３、６３とが連続するように見え、全体として一体的な（一連の）把手として外観に現れることとなる。これにより、外観の向上を図ることができる。また、湾曲面６７を有することによって、各ストッパ６３、６３の当接面６６、６６に上側の扉３６が衝突した際、その衝撃を当該湾曲面６７によって拡散でき、ストッパ６３が破損する危険性を更に減少させることができる。
【００５５】
尚、本実施例では、下側の扉３７の把手部６２にのみストッパ６３を取り付けているが、これに限定されるものではなく、ショーケース全体の意匠を考慮し、上側の扉３６の把手部６２にもストッパ６３を取り付けてもよい。
【００５６】
上記実施例において、扉３６、３７を支持するレール自体に、各扉３６、３７の閉鎖／全開位置、即ち、上側の扉３６が閉鎖位置で、下側の扉３７を全開位置、若しくは、その逆、又は、両扉の全閉の各位置で両扉がそれ以上移動しないように摺動を阻止する、規制用のストッパや突起を形成してもよい。この場合においても、上側の扉３６が半開きの状態で下側の扉３７の把手部６２を開放方向に移動させた際に、レールに設けられたストッパや突起に当接する以前に、上側の扉３６は、下側の扉３７のストッパ６３に当接するため、下側の扉３７の把手部６２を持つ手指が上側の扉３６との間に挟まってしまう不都合を回避することができる。従って、レールに設けられるストッパ等を省略しても、安全な扉の開放動作を確保することが可能となる。
【００５７】
尚、実施例では前後に陳列室１１、１２が構成されたショーケース１に本発明を適用したが、勿論手前側のみに陳列室が構成された一般的な平型ショーケースや、図７に示すような、前面に開口する上部陳列室７１と、上方に開口する下部陳列室７２とを備えたショーケース７０にも本発明は有効である。図７のショーケース７０では、上方に開口する下部陳列室７２の開口を引き戸式に開閉自在に閉塞する扉３６、３７に本願発明が有効である。
【符号の説明】
【００５８】
１、７０  ショーケース
２  断熱箱体
２Ａ、２Ｂ壁
１１、１２  陳列室
１１Ａ、１２Ａ  上面開口
３６  扉（上側）
３７  扉（下側）
４１、４２  レール部材
４３、４４、５３、５４  レール
６１  モール
６１Ａ  外辺
６１Ｂ  内辺
６２    把手部
６２Ａ  端部
６２Ｂ  上端部
６３    ストッパ
６４    係合溝
６５    突出部
６６    当接面
６７    湾曲面
【図１】
2012152313.tif 000003
【図２】
2012152313.tif 000004
【図３】
2012152313.tif 000005
【図４】
2012152313.tif 000006
【図５】
2012152313.tif 000007
【図６】
2012152313.tif 000008
【図７】
2012152313.tif 000009